(57)【要約】【課題】  銅電極と銀電極の寿命を延長でき、殺菌、殺カビ、殺藻の各効果を有する水の殺菌装置を得る。【解決手段】  一対の電極に電圧を印加することにより水中に金属イオンを徐放し、水中の細菌、カビ、藻類の増殖を抑制する水の殺菌装置において、前記一対の電極の陽極側には殺菌効果または殺カビ効果または殺藻効果を有する金属電極、この金属電極と直列接続される可変抵抗体を備え、水中の細菌数やカビ数、藻類の数を検出し、この検出結果に基づき前記可変抵抗体の抵抗値を変化させる。【選択図】  図１
2005052770.tif 000002
【特許請求の範囲】
【請求項１】
一対の電極に電圧を印加することにより水中に金属イオンを徐放し、水中の細菌、カビ、藻類の増殖を抑制する水の殺菌装置において、前記一対の電極の陽極側には殺菌効果または殺カビ効果または殺藻効果を有する金属電極、この金属電極と直列接続される可変抵抗体を備え、水中の細菌数やカビ数、藻類の数を検出し、この検出結果に基づき前記可変抵抗体の抵抗値を変えることを特徴とする水の殺菌装置。
【請求項２】
排水を汲み上げる水槽に設置され、一対の電極に電圧を印加することにより水中に金属イオンを徐放し、水中の細菌、カビ、藻類の増殖を抑制する水の殺菌装置において、排水の吸込口付近に殺菌効果または殺カビ効果または殺藻効果を有する金属電極と対向電極を設置したことを特徴とする水の殺菌装置。
【請求項３】
排水ポンプで汲み上げる水槽に設置され、一対の電極に電圧を印加することにより水中に金属イオンを徐放し、水中の細菌、カビ、藻類の増殖を抑制する水の殺菌装置において、殺菌効果または殺カビ効果または殺藻効果を有する金属電極が銀または銅からなる電極であり、排水ポンプの吸水口を銀や銅などの電極で構成することを特徴とする水の殺菌装置。
【請求項４】
水中の金属イオン濃度が常に３ｐｐｍ以上となるように前記一対の電極への印加電圧を制御することを特徴とする請求項２または３記載の水の殺菌装置。
【発明の詳細な説明】
【技術分野】
【０００１】
この発明は水中の細菌、カビ、藻類の増殖を抑制する水の殺菌装置に関するものである。
【背景技術】
【０００２】
従来の水の殺菌装置は、金属イオン発生装置の電極が銀電極と銅電極とであり、銀電極と銅電極とのいずれかが陽極、いずれかが陰極となるように切り換え自在として成る（例えば、特許文献１参照）。
【０００３】
【特許文献１】特開平４−９０８８６号公報（第１−３頁、第１図）
【発明の開示】
【発明が解決しようとする課題】
【０００４】
従来の水の殺菌装置では、銅電極と銀電極には同電圧が印加されるため、銀電極の方が先に寿命になるという問題点があった。
【０００５】
この発明は、上述のような課題を解決するためになられたもので、銅電極と銀電極の寿命を延長でき、殺菌、殺カビ、殺藻の各効果を有する水の殺菌装置を得るものである。
【課題を解決するための手段】
【０００６】
この発明にかかる水の殺菌装置においては、一対の電極に電圧を印加することにより水中に金属イオンを徐放し、水中の細菌、カビ、藻類の増殖を抑制する水の殺菌装置において、前記一対の電極の陽極側には殺菌効果または殺カビ効果または殺藻効果を有する金属電極、この金属電極と直列接続される可変抵抗体を備え、水中の細菌数やカビ数、藻類の数を検出し、この検出結果に基づき前記可変抵抗体の抵抗値を変えるものである。
【発明の効果】
【０００７】
この発明は、前記一対の電極の陽極側には殺菌効果または殺カビ効果または殺藻効果を有する金属電極、この金属電極と直列接続される可変抵抗体を備え、水中の細菌数やカビ数、藻類の数を検出し、この検出結果に基づき前記可変抵抗体の抵抗値を変えることにより、銅電極と銀電極の寿命を延長でき、水中の微生物の殺菌に最適な金属イオンを徐放することができ、優れた殺菌、殺カビ、殺藻効果を得ることができる。
【発明を実施するための最良の形態】
【０００８】
実施の形態１．
図１はこの発明の実施の形態１を示す水の殺菌装置の模式図、図２はこの水の殺菌装置の設置模式図、図３はこの水の殺菌装置の銀濃度と菌数との関係を示す図である。
図において、銅電極１と銀電極２は水槽６に入っている水７に接触するように設置され、対向電極４との間に直流電圧を供給する電源５を接続し、設置される。銀電極２と電源５の間には抵抗体３が接続される。電源５による印加電圧は５〜２５Ｖの直流電圧である。抵抗体３は印加電圧１Ｖに対し、抵抗体３が０．９９Ｖ、銀電極２が０．０１Ｖとなるように抵抗値を設定する。銅電極１と抵抗体３を介した銀電極２に直流電圧が印加されると、水７中に銅電極１からは銅イオン、銀電極２からは銀イオンが徐放される。
【０００９】
ここで、一般的に銅イオンには殺カビ効果、殺藻効果があり、銀イオンには殺菌効果がある。殺菌効果、殺カビ効果、殺藻効果は徐放される銅イオン濃度、銀イオン濃度に影響するため、効果が得られる濃度のイオンを徐放する必要がある。そこで、図３に示すように最小限効果が得られる濃度、すなわち３ｐｐｍ以上の徐放量が得られる電圧が印加される。図３（ａ）は500ｍLの水の中に栄養分であるニュートリエントブロスを毎回10ｍL投入し、同時に細菌を1.0E+07cfu/mLの濃度で毎回10ｍL投入したときの銀濃度の違いによる菌数の変化を示すものであり、3ppm以上で効果があることがわかる。図３（ｂ）は500ｍLの水の中に栄養分であるニュートリエントブロスを10ｍL投入し、同時に細菌を1.0E+07cfu/mLの濃度で10ｍL投入したときの銀濃度の違いによる菌数の経時変化を示すものであり、銀濃度1ppm、2ppmでは菌の増殖があるが、3ppmでは増殖がないことがわかる。
【００１０】
ところで、銀電極と銅電極に同電圧を印加した場合には、銅イオンより銀イオンの方が溶出しやすいため、銀イオン濃度は高くなるが、銅イオン濃度は高くすることが困難であった。また、銀電極の方が先に溶出してしまい寿命が短くなってしまう。例えば、従来は、殺藻効果、殺カビ効果を出すために数十ppmの銅イオンを徐放する電圧を銅電極に印加すると、銀電極からは約120ppmの銀イオンが徐放されていた。そのため、過度に銀イオンが徐放され銀電極の寿命が短くなっていた。
【００１１】
そこで、本実施形態１では、上述の問題点を解決するために、銀電極２と電源５の間に抵抗体３を接続し、印加電圧１Ｖに対し、抵抗体３が０．９９Ｖ、銀電極２が０．０１Ｖとなるように抵抗値を設定したため、銀イオン濃度と銅イオン濃度を最適な濃度にコントロールすることが可能である。
【００１２】
以上のように、上記構成を有する水の殺菌装置では、銀電極２と電源５の間に抵抗体３を接続したため、銀イオン濃度と銅イオン濃度を最適な濃度にコントロールすることが可能であり、銀イオンによる殺菌、銅イオンによる殺カビ、殺藻効果を最も良く発揮できる。また、過度に銀イオンを溶出することがないため、銀電極と銅電極の寿命を長くすることが可能である。
【００１３】
実施の形態２．
図４はこの発明の実施の形態２を示す水の殺菌装置の模式図である。銅電極１と銀電極２は水槽６に入っている水７に接触するように設置され、対向電極４との間に直流電圧を供給する電源５を接続し、設置される。銀電極２と電源５の間には抵抗体３が接続される。電源５による印加電圧は５〜２５Ｖの直流電圧である。８は、水中の例えばカビ、藻類、菌類等の微生物を検出する微生物検出手段であり、微生物検出手段８で検出した出力に基づき抵抗体３の抵抗値を変化させる。
【００１４】
次に動作について説明する。
微生物検出手段８でにより、水槽６に入る水７に含まれる微生物の状況（数、濃度）を検出し、抵抗体３に信号を出力する。抵抗体３は微生物検出手段８からの信号の値により抵抗値を可変し、徐放される銀濃度を制御する。ここで、菌数を検知し、その菌数に応じ抵抗値を可変する場合は、下記の式により銀濃度を制御する。
（抵抗値により変化する変数）×微生物検出結果（菌数）×電圧印加時間（定数）／水量（定数）＝銀濃度
【００１５】
以上のように、上記構成を有する水の殺菌装置では、微生物の状況を微生物検出手段８で検出し、抵抗体３は微生物検出手段８の出力により抵抗値を可変し、徐放される銀濃度を制御することができるため、水中の微生物の殺菌に最適な銀イオンを徐放することができる。
【００１６】
実施の形態３．
図５はこの発明の実施の形態３を示す水の殺菌装置の模式図である。銅電極１、銀電極２を排水ポンプ９の吸水口１０の一部分に設置した。この場合、対向電極３は、水槽６の底面に沿って配置される。排水ポンプ９は水槽６の水７を吸い上げる働きをする。このとき、水７中に微生物が多量に繁殖しているとゲル化した微生物が排水ポンプ９の吸水口１０に詰まる恐れがある。そこで、排水ポンプ９の吸水口１０付近に水７中の微生物の繁殖を抑制する殺菌、殺カビ、殺藻装置を設置することにより、排水ポンプ９の詰まりを防止することができる。
【００１７】
ここでは、排水ポンプ９の吸水口１０の一部分に銅電極１、銀電極２を設置したことにより、排水ポンプ９付近の水７を殺菌、殺カビ、殺藻することができ、排水ポンプ９の詰まりを防止することができる。具体的には、吸水口１０を銀と銅の合金、または銀のみ、または銅のみで構成され、水中の金属イオン濃度が常に３ｐｐｍ以上となるように銅電極１または銀電極２への印加電圧を制御する。
【００１８】
以上のように、上記構成を有する水の殺菌装置では、排水ポンプ９の吸水口１０の一部分に銅電極１、銀電極２を設置したことにより、排水ポンプ９付近の水７を殺菌、殺カビ、殺藻することができ、排水ポンプ９の詰まりを防止することができる。
【図面の簡単な説明】
【００１９】
【図１】この発明の実施の形態１を示す水の殺菌装置の模式図である。
【図２】この発明の実施の形態１を示す水の殺菌装置の設置模式図である。
【図３】この発明の実施の形態１を示す水の殺菌装置の銀濃度と菌数との関係を示す図である。
【図４】この発明の実施の形態２を示す水の殺菌装置の模式図である。
【図５】この発明の実施の形態３を示す水の殺菌装置の模式図である。
【符号の説明】
【００２０】
１  銅電極、  ２  銀電極、  ３  抵抗体、  ４  対向電極、  ５  電源、  ６  水槽、  ７  水、  ８  微生物検出手段、  ９  排水ポンプ、  １０  吸水口。
【図１】
2005052770.tif 000003
【図２】
2005052770.tif 000004
【図３】
2005052770.tif 000005
【図４】
2005052770.tif 000006
【図５】
2005052770.tif 000007